(57)【要約】【課題】車載装置から携帯メディアプレーヤを操作する場合に、携帯メディアプレーヤに応じた分かりやすい外部機器用画面を表示する車載オーディオビジュアル装置を提供すること。【解決手段】外部メディアプレーヤ１０の外部機器用画面５０を表示部２１に表示する車載オーディオビジュアル装置２０において、外部メディアプレーヤ１０と通信する通信通手段３１と、外部メディアプレーヤ１０に応じて外部機器用画面５０を切り替えて表示部２１に表示する外部機器用画面表示手段１８ａと、を有することを特徴とする。【選択図】図３
2008269482.tif 000002
【特許請求の範囲】
【請求項１】
外部メディアプレーヤの外部機器用画面を表示部に表示する車載オーディオビジュアル装置において、
前記外部メディアプレーヤと通信する通信通手段と、
前記外部メディアプレーヤに応じて前記外部機器用画面を切り替えて前記表示部に表示する外部機器用画面表示手段と、
を有することを特徴とする車載オーディオビジュアル装置。
【請求項２】
前記外部メディアプレーヤが前記外部機器用画面の画面情報を記憶している場合、
前記外部機器用画面表示手段は、前記通信手段により受信した前記画面情報を用いて前記外部機器用画面を前記表示部に表示する、
ことを特徴とする請求項１記載の車載オーディオビジュアル装置。
【請求項３】
前記外部機器用画面の画面情報を前記外部メディアプレーヤの識別情報に対応づけて記憶した記憶装置と、を有し、
前記外部機器用画面表示手段は、前記通信手段により受信した前記識別情報に基づき前記画面情報を抽出し、該画面情報を用いて前記外部機器用画面を前記表示部に表示する、
ことを特徴とする請求項１記載の車載オーディオビジュアル装置。
【請求項４】
前記外部機器用画面は、操作位置を取得する操作位置検出手段と、
前記外部メディアプレーヤの外観又は操作部の、少なくとも一部の形状を表示する表示パーツと、を有し、
前記操作位置検出手段により前記表示パーツの操作が検出された場合、前記操作位置に基づき前記操作部に対応した操作信号を前記外部メディアプレーヤに送信する操作信号送信手段、を有する
ことを特徴とする請求項１ないし３いずれか記載の車載オーディオビジュアル装置。
【請求項５】
前記外部機器用画面表示手段は、前記外部メディアプレーヤが再生する再生データの再生時間等の再生情報を前記外部機器用画面に表示する、
ことを特徴とする請求項１ないし３いずれか記載の車載オーディオビジュアル装置。
【発明の詳細な説明】
【技術分野】
【０００１】
本発明は、外部メディアプレーヤの外部機器用画面を表示部に表示する車載オーディオビジュアル装置に関する。
【背景技術】
【０００２】
車両にはオーディオ装置が搭載されているが、車両の乗員は乗車時以外に音楽や映像などのメディアを再生・記録可能な携帯メディアプレーヤを携帯していることがある。乗員は乗車時にこの携帯メディアプレーヤに記憶された音楽の再生を所望することがあるため、携帯メディアプレーヤとオーディオ装置とを接続して、携帯メディアプレーヤをオーディオ装置で操作する技術が提案されている（例えば、特許文献１参照。）。特許文献１記載のオーディオ装置は、携帯メディアプレーヤを接続された場合、乗員によるオーディオ装置の操作信号を携帯メディアプレーヤに送信し、携帯メディアプレーヤは表示情報をオーディオ装置に送信する。オーディオ装置は携帯メディアプレーヤの動作状況を所定の表示部に表示できるので、携帯メディアプレーヤのユーザインターフェイスをオーディオ装置にて実現することができる。
【０００３】
しかしながら、携帯メディアプレーヤは各メーカによって機能及び操作方法が異なるため、「再生」「選曲」など基本的な操作以外の操作をオーディオ装置から実行するのは困難である。この点について、携帯電話の識別情報（持ち主）に応じて予め記憶されている登録地点リストへのアクセスを管理し、登録地点の編集画面を表示する情報端末装置が提案されている（例えば、特許文献２参照。）。
【特許文献１】特開２００１−１２８２８０号公報
【特許文献２】特開平１１−１６８５７４号公報
【発明の開示】
【発明が解決しようとする課題】
【０００４】
特許文献２の情報端末装置をオーディオ装置に適用すれば、携帯電話（携帯メディアプレーヤ）に応じて外部機器用画面を可変とすることができる。しかしながら、特許文献２記載の情報端末装置は、携帯電話に応じて単に異なる登録地点を表示するだけである。これに対し、各メーカの携帯メディアプレーヤは機能及び操作方法が異なるため、機能及び操作方法に対応した操作項目を表示するだけでは、乗員にとってどの操作項目が目的の機能に対応したものなのか、また、どのように操作すればよいのか分かりにくいという問題がある。
【０００５】
本発明は、上記課題に鑑み、車載装置から携帯メディアプレーヤを操作する場合に、携帯メディアプレーヤに応じた分かりやすい外部機器用画面を表示する車載オーディオビジュアル装置を提供することを目的とする。
【課題を解決するための手段】
【０００６】
上記課題に鑑み、外部メディアプレーヤの外部機器用画面を表示部に表示する車載オーディオビジュアル装置において、外部メディアプレーヤと通信する通信通手段と、外部メディアプレーヤに応じて外部機器用画面を切り替えて表示部に表示する外部機器用画面表示手段と、を有することを特徴とする。
【０００７】
本発明によれば、外部メディアプレーヤに応じて車載オーディオビジュアル装置に表示する外部機器用画面を切り替えることで、携帯メディアプレーヤの種類が変わっても車載オーディオビジュアル装置で携帯メディアプレーヤを操作することができる。
【０００８】
外部機器用画面は、外部メディアプレーヤから通信手段により受信した取得してもよいし、予め、外部機器用画面の画面情報を外部メディアプレーヤの識別情報に対応づけて記憶しておいてもよい。
【０００９】
これにより少なくとも、外部メディアプレーヤに専用の外部機器用画面を車載オーディオビジュアル装置に表示することができる。
【００１０】
また、より好適には、外部メディアプレーヤの操作部の形状の表示パーツを表示し、表示パーツの操作位置を検出することで、操作位置に基づき携帯メディアプレーヤの操作部に対応した操作信号を外部メディアプレーヤに送信することができる。したがって、携帯メディアプレーヤと共通の操作体系を車載オーディオビジュアル装置の表示部にて実現できる。
【発明の効果】
【００１１】
車載装置から携帯メディアプレーヤを操作する場合に、携帯メディアプレーヤに応じた分かりやすい外部機器用画面を表示する車載オーディオビジュアル装置を提供することができる。
【発明を実施するための最良の形態】
【００１２】
以下、本発明を実施するための最良の形態について図面を参照しながら説明する。
図１は、携帯メディアプレーヤ１０と車載オーディオビジュアル装置（以下、車載ＡＶ装置という）２０からなるＡＶシステム５の斜視図の一例を示す。本実施形態の車載ＡＶ装置２０は、多様な携帯メディアプレーヤ１０毎に外部機器用画面の画面情報を記憶しておき、接続された携帯メディアプレーヤ１０を識別して当該携帯メディアプレーヤ１０の専用の外部機器用画面を車載ＡＶ装置２０の表示部２１に表示する。また、外部機器用画面の画面情報を記憶していない携帯メディアプレーヤ１０については、接続時に携帯メディアプレーヤ１０から車載ＡＶ装置２０に外部機器用画面の画面情報を送信することで、車載ＡＶ装置２０にて当該携帯メディアプレーヤ１０に専用の外部機器用画面を表示可能とする。これにより、乗員は携帯メディアプレーヤ１０を直接操作する場合と同様のユーザインターフェイスにより車載ＡＶ装置２０を操作することができ、さらに、その携帯メディアプレーヤ１０に特有の機能があっても共通の操作方法で操作することが可能となる。
【００１３】
車載ＡＶ装置２０は、車両内の例えば２DINタイプのフロントコンソールに、表示部２１が乗員側になるように載置される。表示部２１の周辺に、車載ＡＶ装置２０の操作部２２が配置して設けられユーザインターフェイスを構成する。操作部２２は、各種キー、ダイヤル、トラックポインタやマウスなどのポインタ操作子、音声操作のためのマイクであり、また、操作部２２としてリモコンを備えていてもよい。
【００１４】
表示部２１には、車載ＡＶ装置２０の動作状態に応じてテレビ放送の映像、ＤＶＤ（Digital  Versatile  Disk）の映像が表示され、また、ナビゲーションシステムの表示部２１と兼用している場合には道路地図が表示される。
【００１５】
また、車載ＡＶ装置２０の表示部２１は、タッチパネルにより直接乗員が操作可能となっていることが好適であり、少なくとも、操作部２２の操作により所定のポインティングデバイスが表示部２１を移動できるようになっている。したがって、乗員による表示部２１の操作位置が検出される。以下、単に操作部２２といった場合に、表示部２１のタッチパネルを介した操作を含む場合がある。
【００１６】
携帯メディアプレーヤ１０には表示部２５と操作部２６が配置され、ユーザインターフェイスを構成している。表示部２５には、選択可能な各メニュー項目、再生可能な音楽・映像のアーティスト、再生時間等のソース情報、等が表示され、選択した音楽・映像の再生中には、曲名、アーティスト名、現在の再生時間（残りの再生時間）、全体における再生位置（以下、これらを再生情報という）などが表示される。
【００１７】
車載ＡＶ装置２０と携帯メディアプレーヤ１０は、接続ケーブル３１により接続可能になっている。車載ＡＶ装置２０は、ＵＳＢ（Universal  Serial  Bus）などの端子２３を車室側に露出した部位に有し、携帯メディアプレーヤ１０は例えば底部にＵＳＢなどの端子２４を備える。接続ケーブル３１の端子３１ａを端子２３に、端子３１ｂを端子２４にそれぞれ接続することで、例えば差動信号線を介して制御情報が携帯メディアプレーヤ１０に送信され、携帯メディアプレーヤ１０により再生された音楽・映像の再生データ（後述するオーディオ再生データ、映像再生データ）が車載ＡＶ装置２０に送信される。図１では、ＵＳＢインターフェイスにて接続することとしたが、ＩＥＥＥ１３９４インターフェイスなど他の有線接続、ブルートゥースなど無線接続してもよい。
【００１８】
車載ＡＶ装置２０に携帯メディアプレーヤ１０が接続されると、後述するように車載ＡＶ装置２０の表示部２１に携帯メディアプレーヤ１０を操作するための外部機器用画面５０を表示可能となる。
【００１９】
図２は、車載ＡＶ装置２０及び携帯メディアプレーヤ１０のブロック図の一例を示す。車載ＡＶ装置２０は、ＣＰＵやＲＡＭ、ＲＯＭ等を備えたコンピュータとして構成される制御部１８により制御される。制御部１８は、操作部２２に操作が行われた場合に、その操作に応じた動作が得られるように各ブロックの制御処理を実行する。制御部１８のＣＰＵがプログラムを実行することで、画面情報１９ａ、４３を用いて携帯メディアプレーヤ１０の外部機器用画面５０を表示部２１に表示する外部機器用画面表示手段１８ａ、表示部２１に表示された外部機器用画面５０の操作を検出して操作信号を携帯メディアプレーヤ１０に送信する操作信号送信手段１８ｂが実現される。
【００２０】
車載ＡＶ装置２０は、メディアソースとしてラジオ、ＴＶ、ＤＶＤ、ＭＰ３などの圧縮音源データの出力が可能であり、これに対応して、ラジオチューナ１４、ＴＶチューナ１５、ＤＶＤプレーヤ１６、デジタル信号再生部１６を有する。表示部２１では、これらのメディアソースを選択可能に一覧表示したり、出力中は、出力しているメディアソースを表示する。また、選択されたメディアソースに応じて、例えばテレビ局、ラジオ放送局などの動作状況を表示してもよい。
【００２１】
ラジオチューナ１４は、所定のアンテナにより、選曲された放送局の、例えばＡＭ，ＦＭのアナログ／デジタル放送を受信する。ラジオチューナ１４は、選局した放送局の信号を復調した音声信号をセレクタ１１に出力する。ＴＶチューナ１５は、所定のアンテナにより、選曲された放送局の、例えばアナログ/デジタル地上放送、いわゆるワンセグ放送を受信する。ＴＶチューナ１５は、放送局からの電波強度に応じて受信感度を調整し、周波数に応じて分離した映像信号と音声信号をセレクタ１１に出力する。
【００２２】
ＤＶＤプレーヤ１６は、所定の挿入口からセットされたＤＶＤからデジタル信号を読み出して、ＭＰＥＧ２などの映像信号、ＰＣＭなどの音声信号をそれぞれデコードし、アナログ信号に変換してセレクタ１１に出力する。デジタル信号再生部１６は、記憶装置１９又は可搬型の記憶媒体に記憶された圧縮音源データをデコードして、その音声信号をセレクタ１１に出力する。
【００２３】
また、セレクタ１１と制御部１８は接続されており、携帯メディアプレーヤ１０の再生データ（オーディオ再生データ、映像再生データ）が制御部１８を介して直接セレクタ１１に出力できるようになっている。
【００２４】
制御部１８は、例えば操作部２２から、ラジオなど出力するメディアソースが指示されると、セレクタ１１に入力された音声、映像の信号から指示された信号を選択して、音声信号をアンプ１２に、映像信号を表示部２１に出力する。アンプ１２は、入力された音声信号のレベルをアンプにより増幅した後、車載されたスピーカ１３に出力する。また、表示部２１は、入力された映像信号を表示する。
【００２５】
携帯メディアプレーヤ１０は、ＣＰＵやＲＡＭ、ＲＯＭ等を備えたコンピュータとして構成される制御部３５により制御される。制御部３５は、操作部２６に操作が行われた場合に、その操作に応じた動作が得られるように各ブロックの制御処理を実行する。
【００２６】
フラッシュメモリやハードディスクにより構成される記憶部３４には、ＭＰ３などの圧縮音源データ４１が記憶されており、乗員の操作によって制御部３５がデコーダ２９に記憶部３４から圧縮音源データ４１の読み出しを要求する。圧縮音源データ４１は、所定の圧縮方法（ＭＰ３等）にて圧縮が施されているため、デコーダ２９は圧縮方法に従って伸長処理する。伸長されたデジタルデータは、Ｄ／Ａ３２に入力され、Ｄ／Ａ３２はデジタルデータをオーディオ再生データに変換する。
【００２７】
オーディオ再生データは、イヤホン端子３３に出力されると共に、一部が分岐されて端子２４に接続されている。したがって、イヤホンから直接オーディオ再生データを出力可能であると共に、接続ケーブル３１により車載ＡＶ装置２０と接続した場合は、車載ＡＶ装置２０のスピーカ１３から出力可能となる。
【００２８】
また、記憶部３４には、ＪＰＥＧ、ＭＰＥＧなどの圧縮映像データ４２が記憶されており、乗員の操作によって制御部３５が画像伸長部３８に記憶部３４から圧縮映像データ４２の読み出しを要求する。圧縮映像データ４２は、所定の圧縮方法にて圧縮が施されているため、画像伸長部３８は圧縮方法に従って伸長処理する。伸長された映像再生データは、表示部２５の表示ドライバに入力され、画素毎に輝度及び色が決定され映像が表示される。
【００２９】
映像再生データは、表示部２５とは別に端子２４に接続されている。したがって、表示部２５から直接映像再生データを出力可能であると共に、接続ケーブル３１により車載ＡＶ装置２０と接続した場合は、車載ＡＶ装置２０の表示部２１から出力可能となる。
【００３０】
オーディオ再生データ又は映像再生データが車載ＡＶ装置２０に出力される場合、これらの再生情報も車載ＡＶ装置２０に送信され、車載ＡＶ装置２０はオーディオ再生データ又は映像再生データをスピーカ１３や表示部２１から出力しながらオーディオ再生データ又は映像再生データの再生情報を表示部２１に表示することができる。
【００３１】
記憶部３４には画面情報４３が記憶されている。画面情報４３は画面情報１９ａと同様の構成であるが、区別するため別の符号を付した。画面情報１９ａ、４３については後述する。
【００３２】
〔外部機器用画面５０〕
続いて、本実施形態の車載ＡＶ装置２０が表示部２１に表示する携帯メディアプレーヤ１０の外部機器用画面５０について説明する。本実施形態の車載ＡＶ装置２０は、接続された携帯メディアプレーヤ１０に応じて外部機器用画面５０を切り替えることができる。このため、記憶装置１９には携帯メディアプレーヤ１０毎に外部機器用画面５０の画面情報１９ａを記憶している。
【００３３】
図３（ａ）は、Ａ社１２３型の携帯メディアプレーヤ１０が接続された場合に表示部２１に表示される外部機器用画面５０の一例を示す。図３（ａ）では、表示部２１に、Ａ社１２３型の正面の外観を模した外部機器用画面５０が表示されている。外部機器用画面５０は、例えば、Ａ社１２３型の写真であってもよいし、イラストであってもよい。外部機器用画面５０の表示位置は制御部１８にとって既知であるので、操作信号送信手段１８ｂは乗員が表示部２１を触れた位置情報に基づき、乗員が携帯メディアプレーヤ１０に対しどのような操作をしたか検出することができる。
【００３４】
例えば、携帯メディアプレーヤ１０の操作部２６の上側がＭＥＮＵボタン２６ａ、左側が戻りボタン２６ｂ、下側が再生・一時停止ボタン２６ｃ、右側が進みボタン２６ｄの場合に、操作部２６に相当する外部機器用画面５０の表示パーツ５２の下側に触れると、操作信号送信手段１８ｂは携帯メディアプレーヤ１０に対し再生・一時停止の操作がされたと検出し、再生・一時停止の制御情報を携帯メディアプレーヤ１０に送信する。
【００３５】
また、オーディオ再生データの再生中、外部機器用画面表示手段１８ａは、図３（ｂ）に示すように、再生情報として取得した曲名、アーティスト名、現在の再生時間（図では１：３５）、全体の再生時間（図では５：３６）、全体における再生位置の表示パーツ５３などを、表示部２５に相当する外部機器用画面５０の表示パーツ５１に表示する。
【００３６】
したがって、乗員は、携帯メディアプレーヤ１０と同じ機能を共通の操作体系で使いこなすことでき、携帯メディアプレーヤ１０と同じ再生情報を車載ＡＶ装置２０の表示部２１にて認識することができる。
【００３７】
記憶装置１９には、図３（ａ）の如き外部機器用画面５０の画面情報１９ａが、携帯メディアプレーヤ１０毎に記憶されているので、外部機器用画面表示手段１８ａは、接続された携帯メディアプレーヤ１０の識別情報に基づき抽出した外部機器用画面５０を表示部２１に表示する。
【００３８】
また、表示部２１に表示される外部機器用画面５０は、携帯メディアプレーヤ１０の外観と完全に一致している必要はないため、携帯メディアプレーヤ１０毎に直感的に操作可能な外部機器用画面５０を表示することが好適となる。
【００３９】
図４は、Ａ社１２３型の携帯メディアプレーヤ１０が接続された場合に表示部２１に表示される外部機器用画面５０の一例を示す。なお、図４において図３と同一部分には同一の符号を付した。図４では、携帯メディアプレーヤ１０の外観を模した外部機器用画面５０は表示されていないが、携帯メディアプレーヤ１０の操作部２６の形状を表示する表示パーツ５２，５４、５５、５６及び表示部２５の表示内容を表示する表示パーツ５３、５７〜６０，が表示されている。
【００４０】
すなわち、外部機器用画面５０に表示された操作部２６は、表示パーツ５２，５４、５５、５６により構成され、戻りボタン２６ｂは表示パーツ５４として、再生・一時停止ボタン２６ｃは表示パーツ５５として、進みボタン２６ｄに表示パーツ５６として、それぞれ表示パーツ５２に対し、携帯メディアプレーヤ１０と同じ配置にて表示されている。また、再生中に、表示部２５に表示される曲名は表示パーツ５８に、アーティスト名は表示パーツ５９に、現在の再生時間（図では１：３５）と全体の再生時間（図では５：３６）は表示パーツ６０に、全体における再生位置は表示パーツ５３に、表示される。
【００４１】
したがって、乗員は、携帯メディアプレーヤ１０と全く同じでないものの容易に操作方法が推測できる外部機器用画面５０により、携帯メディアプレーヤ１０と同じ機能を違和感なく使いこなすことでき、携帯メディアプレーヤ１０と同じ再生情報を車載ＡＶ装置２０の表示部２１にて認識することができる。
【００４２】
〔画面情報１９ａ、４３〕
このような外部機器用画面５０を表示するための表示パーツは、予め、記憶装置１９に記憶されており、外部機器用画面表示手段１８ａが携帯メディアプレーヤ１０の識別情報に基づき、表示部２１に表示する。図５（ａ）と図５（ｂ）は画面情報１９ａ、４３の一例を示す図である。画面情報１９ａ、４３は、外部機器用画面テーブルと形状情報ＤＢから成る。外部機器用画面テーブルでは、表示パーツＩＤに対応づけて配置情報、形状情報、制御情報が記憶されている。形状情報ＤＢには、外部機器用画面５０を構成する表示パーツの形状情報（例えばビットマップデータ）が、表示パーツＩＤ対応づけて記憶されている。
【００４３】
外部機器用画面テーブルの配置情報は、例えば、表示部２１の所定の原点に対し、各表示パーツの形状の外接矩形における左上頂点の位置を指定する。また、操作情報は、表示パーツに対応した操作部２６の操作内容を示す。
【００４４】
したがって、外部機器用画面表示手段１８ａは、形状情報により定まる表示パーツを配置情報により定まる位置に表示することができる。また、操作信号送信手段１８ｂは、乗員が表示部２１を触れた位置情報から操作された表示パーツを検出し、表示パーツに対応づけられた操作情報を携帯メディアプレーヤ１０に送信する。
【００４５】
なお、表示パーツ５２〜５６のように位置が固定された表示パーツでなく、例えば再生位置を示す表示パーツ５３は再生中に位置が移動する。このような表示パーツ５３については、予め定めた位置情報を所定のサイクル時間毎に外部機器用画面表示手段１８ａが取得して、配置を動的に決定しながら表示する。例えば、再生位置の表示パーツ５３の位置情報は、現在の再生時間と全体の再生時間の比率から決定される。
【００４６】
また、曲名やアーティスト名、再生時間のように、表示内容が不定の表示パーツ５８，５９，６０は、配置情報によりその位置だけ決定しておき、形状情報はブランクとする。外部機器用画面表示手段１８ａは、形状情報がブランクの表示パーツ５８，５９，６０については予め定められた内容（例えば再生情報の一部）を配置情報に従い表示する。例えば、表示パーツ５８は曲名を、表示パーツ５９はアーティスト名を、表示パーツ６０は再生時間を表示するための配置情報を決定する。したがって、表示内容が不定の表示パーツについても携帯メディアプレーヤ１０と同様に表示することができる。
【００４７】
また、図４のような外部機器用画面５０は、携帯メディアプレーヤ１０の機能に応じて用意されていて、例えば、映像再生データを車載ＡＶ装置２０から出力する場合は、携帯メディアプレーヤ１０において映像を再生する際の操作と同様の外部機器用画面５０が表示される
図６は、Ａ社１２３型の携帯メディアプレーヤ１０から映像再生データを出力する場合に表示部２１に表示される外部機器用画面５０の一例を示す図である。図６の外部機器用画面５０は、再生映像６４の下部に、再生中の映像のファイル名を表示する表示パーツ６３が表示されている。この相対的な配置関係は携帯メディアプレーヤ１０にて映像を再生する場合と同様である。
【００４８】
また、映像再生時の携帯メディアプレーヤ１０において、戻りボタン２６ｂを押下すれば一つ前の映像が表示され、進みボタン２６ｄを押下すれば次の映像が表示される。この操作を表示部２１にて実現するため、ファイル名の表示パーツ６３の左側には戻りボタン２６ｂの表示パーツ５４が、右側には進みボタン２６ｄの表示パーツ５６が表示される。乗員が表示パーツ５４又は５６に触れることで、携帯メディアプレーヤ１０と同じ操作方法にて、映像を選択して表示することができる。
【００４９】
ところで、小型の携帯メディアプレーヤ１０では機能毎に操作キーを設けることが困難で、また、意匠上の制約もあることから、操作部２６の操作の仕方により複数の操作が可能になっていることが多く、また、正面だけでなく側面や上面に操作キーが配置されることがある。このような携帯メディアプレーヤ１０の場合には、側面や上面の外観をそのまま模した写真やイラストを、正面視の写真やイラストと共に表示部２１に表示してもよいし、側面視の操作部を表示パーツにして表示してもよい。
【００５０】
図７（ａ）は、Ｂ社４５６型の携帯メディアプレーヤ１０が接続された場合に表示部２１に表示される外部機器用画面５０の一例を、図７（ｂ）は、Ｂ社４５６型の携帯メディアプレーヤ１０の側面図を示す。図７（ｂ）に示すように、Ｂ社４５６型の携帯メディアプレーヤ１０は、側面に、戻りボタン２６ｂ、再生・一時停止ボタン２６ｃ、進みボタン２６ｄを備える。このような携帯メディアプレーヤ１０では、図３のように正面視の外観をそのまま外部機器用画面５０としても操作部２６に相当する表示パーツが表示できないので、外部機器用画面５０では、正面視の外観にほぼ等しい表示パーツ７１を中央に表示すると共に、戻りボタン２６ｂに対応した表示パーツ７２、進みボタン２６ｄに対応した表示パーツ７３、を表示パーツ７１の左右に表示し、再生・一時停止ボタン２６ｃに対応した表示パーツ７４を右上に表示している。したがって、乗員は、外部機器用画面５０を携帯メディアプレーヤ１０と同様の操作方法により操作することができる。
【００５１】
このように、本実施形態の車載ＡＶ装置２０は、接続された携帯メディアプレーヤ１０に応じて、外観とほぼ同じ外部機器用画面５０、又は、共通の操作方法にて操作可能な外部機器用画面５０を表示するので、乗員が様々な携帯メディアプレーヤ１０を携帯していても、携帯メディアプレーヤ１０と共通の操作により違和感なく操作できる。また、携帯メディアプレーヤ１０に固有の機能があっても対応する表示パーツを表示できるので、当該固有の機能を携帯メディアプレーヤ１０と共通の操作方法で利用できる。
【００５２】
〔外部から外部機器用画面を取得する〕
携帯メディアプレーヤ１０の種類、バージョンアップを考慮すると、全ての携帯メディアプレーヤ１０毎に車載ＡＶ装置２０が外部機器用画面５０を記憶しておくことは困難な場合がある。そこで、車載ＡＶ装置２０の記憶装置１９に識別情報の一致する携帯メディアプレーヤ１０の画面情報１９ａが記憶されていない場合、車載ＡＶ装置２０が携帯メディアプレーヤ１０から画面情報４３を受信して、表示部２１に表示することが好ましい。
【００５３】
各携帯メディアプレーヤ１０は、記憶部３４に予め図５（ａ）及び（ｂ）のような画面情報４３を記憶しておき、車載ＡＶ装置２０と接続された場合に、自動的又は車載ＡＶ装置２０からの要求に応じて送出する。配置情報や形状情報ＤＢのフォーマットが同じであるので、車載ＡＶ装置２０は配置情報に従い表示パーツを表示して外部機器用画面５０を表示することができる。
【００５４】
例えば、同じメーカの後継機種の場合、車載ＡＶ装置２０が画面情報４３の表示パーツの全てを記憶していないことがあると考えられるが、後継機種の携帯メディアプレーヤ１０が、新たに追加された機能又は操作方法に対応した表示パーツの配置情報、形状情報及び制御情報を記憶しておくだけで、車載ＡＶ装置２０は後継機種に適した外部機器用画面５０を表示することができる。
【００５５】
また、車載ＡＶ装置２０は、ネットワークを介して画面情報１９ａを取得してもよい。この場合、予め、所定のサーバに各携帯メディアプレーヤ１０の画面情報１９ａを登録しておく。登録は、携帯メディアプレーヤ１０の個人ユーザが自由にできるようにしておくことで、新製品が市場に流通された直後から、車載ＡＶ装置２０はネットワークを介して取得した画面情報１９ａを用いて外部機器用画面５０を表示できる。
【００５６】
また、車載ＡＶ装置２０は一度表示した外部機器用画面５０の画面情報１９ａを識別情報に対応づけて記憶装置１９に記憶する。これにより、次回に同じ携帯メディアプレーヤ１０が接続された時は、記憶装置１９に記憶されている画面情報１９ａにより外部機器用画面５０を表示することができる。
【００５７】
なお、車載ＡＶ装置２０、携帯メディアプレーヤ１０及びサーバのいずれも、接続された携帯メディアプレーヤ１０の画面情報１９ａ、４３を記憶していない場合は、予め定めたデフォルトの画面情報を用いて外部機器用画面５０を表示する。
【００５８】
〔外部機器用画面５０の表示手順〕
図８は、外部機器用画面表示手段１８ａが、外部機器用画面５０を表示部２１に表示する手順のフローチャート図を示す。図８のフローチャート図は、例えば車載ＡＶ装置２０と携帯メディアプレーヤ１０とが接続されるとスタートする。
【００５９】
接続されると制御部１８は、携帯メディアプレーヤ１０に識別情報の送信を要求する（Ｓ１０）。これにより、携帯メディアプレーヤ１０は例えばＲＯＭに記憶された識別情報を読み出し、車載ＡＶ装置２０に送信する。
【００６０】
識別情報を受信すると外部機器用画面表示手段１８ａは、接続された携帯メディアプレーヤ１０が画面情報４３を記憶しているか否かを判定する（Ｓ２０）。外部機器用画面表示手段１８ａは、携帯メディアプレーヤ１０に画面情報４３の送信を要求し、携帯メディアプレーヤ１０が画面情報４３を記憶している場合には、それを受信する（Ｓ３０）。また、携帯メディアプレーヤ１０が画面情報４３を記憶していない場合には、外部機器用画面表示手段１８ａは「ＮＧ」の信号を受信するので、携帯メディアプレーヤ１０が画面情報４３を記憶していないと判定する。
【００６１】
携帯メディアプレーヤ１０が画面情報４３を記憶している場合（Ｓ２０のＹｅｓ）、外部機器用画面表示手段１８ａは、携帯メディアプレーヤ１０から受信した画面情報４３の表示パーツを配置して外部機器用画面５０を表示部２１に表示する（Ｓ４０）。
【００６２】
携帯メディアプレーヤ１０が画面情報４３を記憶していない場合（Ｓ２０のＮｏ）、外部機器用画面表示手段１８ａは接続された携帯メディアプレーヤ１０の画面情報１９ａを記憶装置１９に記憶しているか否かを判定する（Ｓ５０）。すなわち、識別情報に基づき記憶装置１９を検索し、画面情報１９ａが記憶されている場合にそれを抽出する。
【００６３】
車載ＡＶ装置２０が携帯メディアプレーヤ１０の画面情報１９ａを記憶している場合（Ｓ５０のＹｅｓ）、外部機器用画面表示手段１８ａは、記憶装置１９から抽出した画面情報１９ａの表示パーツを配置して外部機器用画面５０を表示部２１に表示する（Ｓ６０）。
【００６４】
車載ＡＶ装置２０が携帯メディアプレーヤ１０の画面情報１９ａを記憶していない場合（Ｓ５０のＮｏ）、外部機器用画面表示手段１８ａは予め定めたデフォルトの外部機器用画面５０を表示する（Ｓ７０）。
【００６５】
したがって、携帯メディアプレーヤ１０が画面情報４３を記憶している場合には、画面情報４３により外部機器用画面５０を表示するので、携帯メディアプレーヤ１０に専用の外部機器用画面５０を確実に表示できる。また、携帯メディアプレーヤ１０が画面情報４３を記憶していなくても、車載ＡＶ装置２０が記憶している画面情報１９ａにより外部機器用画面５０を表示部２１に表示することができる。したがって、携帯メディアプレーヤ１０のメーカ毎に操作方法や機能が異なっても、乗員は、接続された携帯メディアプレーヤ１０を違和感なく操作できる。また、携帯メディアプレーヤ１０に、映像再生などの固有の機能があっても、携帯メディアプレーヤ１０と同様の操作方法により固有の機能を操作できる。
【図面の簡単な説明】
【００６６】
【図１】携帯メディアプレーヤと車載ＡＶ装置からなるＡＶシステムの斜視図の一例である。
【図２】車載ＡＶ装置及び携帯メディアプレーヤのブロック図の一例である。
【図３】Ａ社１２３型の携帯メディアプレーヤが接続された場合に表示部に表示される外部機器用画面の一例を示す図である。
【図４】Ａ社１２３型の携帯メディアプレーヤが接続された場合に表示部に表示される外部機器用画面の一例を示す図である。
【図５】画面情報の一例を示す図である。
【図６】Ａ社１２３型の携帯メディアプレーヤから映像再生データを出力する場合に表示部に表示される外部機器用画面の一例を示す図である。
【図７】Ｂ社４５６型の携帯メディアプレーヤが接続された場合に表示部に表示される外部機器用画面の一例を示す図である。
【図８】外部機器用画面表示手段が、外部機器用画面を表示部に表示する手順のフローチャート図である。
【符号の説明】
【００６７】
５      ＡＶシステム
１０    携帯メディアプレーヤ
１８ａ  外部機器用画面表示手段
１８ｂ  操作信号送信手段
１９ａ、４３  画面情報
２０    車載オーディオビジュアル装置
２１    表示部
２２    操作部
２６    操作部
５０    外部機器用画面
５１〜６０、６３、７１、７２、７３  表示パーツ
【図１】
2008269482.tif 000003
【図２】
2008269482.tif 000004
【図３】
2008269482.tif 000005
【図４】
2008269482.tif 000006
【図５】
2008269482.tif 000007
【図６】
2008269482.tif 000008
【図７】
2008269482.tif 000009
【図８】
2008269482.tif 000010